【手続補正書】
【提出日】平成26年4月25日(2014.4.25)
【手続補正１】
【補正対象書類名】特許請求の範囲
【補正対象項目名】全文
【補正方法】変更
【補正の内容】
【特許請求の範囲】
【請求項１】
（ａ）Ｅ−１，１，１，４，４，４−ヘキサフルオロ−２−ブテンと、
（ｂ）Ｅ−１−クロロ−３，３，３−トリフルオロプロペンおよび２−クロロ−３，３，３−トリフルオロプロペンからなる群から選択される成分と
から本質的になる組成物であって、前記成分が前記Ｅ−１，１，１，４，４，４−ヘキサフルオロ−２−ブテンと共沸様組み合わせを形成するのに有効な量で存在する組成物。
【請求項２】
（ａ）Ｅ−１，１，１，４，４，４−ヘキサフルオロ−２−ブテンと、
（ｂ）２−クロロ−３，３，３−トリフルオロプロペンと
から本質的になる組成物であって、前記２−クロロ−３，３，３−トリフルオロプロペンが前記Ｅ−１，１，１，４，４，４−ヘキサフルオロ−２−ブテンと共沸組み合わせを形成するのに有効な量で存在する組成物。
【請求項３】
請求項１に記載の共沸様組成物を発泡剤として使用する工程を含む熱可塑性または熱硬化性発泡体の製造方法。
【請求項４】
請求項２に記載の共沸組成物を発泡剤として使用する工程を含む熱可塑性または熱硬化性発泡体の製造方法。
【請求項５】
請求項１に記載の共沸様組成物を凝縮させる工程と、その後冷却されるべき本体の近くで前記共沸様組成物を蒸発させる工程とを含む冷却を行うための方法。
【請求項６】
請求項２に記載の共沸組成物を凝縮させる工程と、その後冷却されるべき本体の近くで前記共沸組成物を蒸発させる工程とを含む冷却を行うための方法。
【請求項７】
請求項１に記載の共沸様組成物を溶媒として使用する工程を含む方法。
【請求項８】
請求項２に記載の共沸組成物を溶媒として使用する工程を含む方法。
【請求項９】
請求項１に記載の共沸様組成物を噴射剤として使用する工程を含むエアゾール製品の製造方法。
【請求項１０】
請求項２に記載の共沸組成物を噴射剤として使用する工程を含むエアゾール製品の製造方法。
【請求項１１】
請求項１に記載の共沸様組成物を熱媒として使用する工程を含む方法。
【請求項１２】
請求項２に記載の共沸組成物を熱媒として使用する工程を含む方法。
【請求項１３】
請求項１に記載の共沸様組成物を消火剤または鎮火剤として使用する工程を含む消火または鎮火方法。
【請求項１４】
請求項２に記載の共沸組成物を消火剤または鎮火剤として使用する工程を含む消火または鎮火方法。
【請求項１５】
請求項１に記載の共沸様組成物を誘電体として使用する工程を含む方法。
【請求項１６】
請求項２に記載の共沸組成物を誘電体として使用する工程を含む方法。
【手続補正２】
【補正対象書類名】明細書
【補正対象項目名】００５４
【補正方法】変更
【補正の内容】
【００５４】
本発明の別の実施形態は、共沸もしくは共沸様組成物を誘電体として使用する方法であって、前記共沸もしくは共沸様組成物が、Ｅ−１，１，１，４，４，４−ヘキサフルオロ−２−ブテンと、Ｅ−ＨＣＦＯ−１２３３ｚｄおよびＨＣＦＯ−１２３３ｘｆからなる群から選択される成分とから本質的になる方法を提供する。
本発明は以下の実施の態様を含むものである。
１．  （ａ）Ｅ−１，１，１，４，４，４−ヘキサフルオロ−２−ブテンと、
（ｂ）Ｅ−１−クロロ−３，３，３−トリフルオロプロペンおよび２−クロロ−３，３，３−トリフルオロプロペンからなる群から選択される成分と
から本質的になる組成物であって、前記成分が前記Ｅ−１，１，１，４，４，４−ヘキサフルオロ−２−ブテンと共沸様組み合わせを形成するのに有効な量で存在する組成物。
２．  （ａ）Ｅ−１，１，１，４，４，４−ヘキサフルオロ−２−ブテンと、
（ｂ）２−クロロ−３，３，３−トリフルオロプロペンと
から本質的になる組成物であって、前記２−クロロ−３，３，３−トリフルオロプロペンが前記Ｅ−１，１，１，４，４，４−ヘキサフルオロ−２−ブテンと共沸組み合わせを形成するのに有効な量で存在する組成物。
３．  約１〜約９９モルパーセントのＥ−１，１，１，４，４，４−ヘキサフルオロ−２−ブテンと約９９〜約１モルパーセントのＥ−１−クロロ−３，３，３−トリフルオロプロペンとから本質的になる前記１．に記載の共沸様組成物であって、約−４０℃〜約１４０℃の温度において、前記組成物が沸点圧力を基準として５パーセント以下の露点圧力と沸点圧力との差を有することにより特徴付けられる組成物。
４．  約５〜約９９モルパーセントのＥ−１，１，１，４，４，４−ヘキサフルオロ−２−ブテンと約９９〜約５モルパーセントのＥ−１−クロロ−３，３，３−トリフルオロプロペンとから本質的になる前記１．に記載の共沸様組成物であって、約−４０℃〜約１４０℃の温度において、前記組成物が沸点圧力を基準として５パーセント以下の露点圧力と沸点圧力との差を有することにより特徴付けられる組成物。
５．  約１〜約９９モルパーセントのＥ−１，１，１，４，４，４−ヘキサフルオロ−２−ブテンと約９９〜約１モルパーセントの２−クロロ−３，３，３−トリフルオロプロペンとから本質的になる前記１．に記載の共沸様組成物であって、約−４０℃〜約１２０℃の温度において、前記組成物が沸点圧力を基準として５パーセント以下の露点圧力と沸点圧力との差を有することにより特徴付けられる組成物。
６．  約５〜約９９モルパーセントのＥ−１，１，１，４，４，４−ヘキサフルオロ−２−ブテンと約９９〜約５モルパーセントの２−クロロ−３，３，３−トリフルオロプロペンとから本質的になる前記１．に記載の共沸様組成物であって、約−４０℃〜約１２０℃の温度において、前記組成物が沸点圧力を基準として５パーセント以下の露点圧力と沸点圧力との差を有することにより特徴付けられる組成物。
７．  約１．５ｐａｉａ〜約３２８ｐｓｉａの圧力で約−４０℃〜約１２０℃の沸点温度を有する、約６０．２モルパーセント〜約９８．８モルパーセントのＥ−１，１，１，４，４，４−ヘキサフルオロ−２−ブテンと約３９．８モルパーセント〜約１．２モルパーセントの２−クロロ−３，３，３−トリフルオロプロペンとから本質的になる前記２．に記載の共沸組成物。
８．  前記１．に記載の共沸様組成物を発泡剤として使用する工程を含む熱可塑性または熱硬化性発泡体の製造方法。
９．  前記２．に記載の共沸組成物を発泡剤として使用する工程を含む熱可塑性または熱硬化性発泡体の製造方法。
１０．  前記１．に記載の共沸様組成物を凝縮させる工程と、その後冷却されるべき本体の近くで前記共沸様組成物を蒸発させる工程とを含む冷却を行うための方法。
１１．  前記２．に記載の共沸組成物を凝縮させる工程と、その後冷却されるべき本体の近くで前記共沸組成物を蒸発させる工程とを含む冷却を行うための方法。
１２．  前記１．に記載の共沸様組成物を溶媒として使用する工程を含む方法。
１３．  前記２．に記載の共沸組成物を溶媒として使用する工程を含む方法。
１４．  前記１．に記載の共沸様組成物を噴射剤として使用する工程を含むエアゾール製品の製造方法。
１５．  前記２．に記載の共沸組成物を噴射剤として使用する工程を含むエアゾール製品の製造方法。
１６．  前記１．に記載の共沸様組成物を熱媒として使用する工程を含む方法。
１７．  前記２．に記載の共沸組成物を熱媒として使用する工程を含む方法。
１８．  前記１．に記載の共沸様組成物を消火剤または鎮火剤として使用する工程を含む消火または鎮火方法。
１９．  前記２．に記載の共沸組成物を消火剤または鎮火剤として使用する工程を含む消火または鎮火方法。
２０．  前記１．に記載の共沸様組成物を誘電体として使用する工程を含む方法。
２１．  前記２．に記載の共沸組成物を誘電体として使用する工程を含む方法。